(57)【要約】      （修正有）【課題】携帯電話を用いてビデオを長時間鑑賞するための携帯電話用のプロジェクトを提供する。【解決手段】ケース１５と、回路装置と、電源と、投影部材とを備え、回路装置及び電源がケース内に設けられ、投影部材がケースの一方端に設けられ、ケースに携帯電話が置き込まれる囲い式の係合溝１１が設けられている。係合溝内のコネクタ８に携帯電話の末端が接続される。さらに、ケースの先端に通風孔１３を有する階段状の切欠き１２が設けられる。【選択図】図２
0003174075.tif 000002
【実用新案登録請求の範囲】
【請求項１】
ケースと、回路装置と、電源と、投影部材とを備え、前記回路装置及び電源がケース内に設けられ、前記投影部材がケースの一方端に設けられる携帯電話用のプロジェクトにおいて、前記ケースに、携帯電話が置き込まれる囲い式の係合溝が設けられていることを特徴とする携帯電話用のプロジェクト。
【請求項２】
前記ケースの末端の係合溝内に、携帯電話の末端に接続されるコネクタが設けられていることを特徴とする請求項１に記載の携帯電話用のプロジェクト。
【請求項３】
前記投影部材がケースの先端の左側に設けられることを特徴とする請求項１に記載の携帯電話用のプロジェクト。
【請求項４】
前記ケースの先端の右側に階段状の切欠きが設けられていることを特徴とする請求項１に記載の携帯電話用のプロジェクト。
【請求項５】
前記切欠きの階段面に通風孔が設けられていることを特徴とする請求項４に記載の携帯電話用のプロジェクト。
【請求項６】
前記ケースの末端に電源制御スイッチ及びデータインターフェースが設けられていることを特徴とする請求項１に記載の携帯電話用のプロジェクト。
【請求項７】
前記ケース内にスピーカーが更に設けられていることを特徴とする請求項１に記載の携帯電話用のプロジェクト。
【請求項８】
前記ケースに投影部材と組合わせる焦点距離調節歯車が設けられていることを特徴とする請求項１に記載の携帯電話用のプロジェクト。
【請求項９】
前記ケースに音量制御ボタンが更に設けられていることを特徴とする請求項１に記載の携帯電話用のプロジェクト。
【請求項１０】
前記ケースは上ケースと底ケースから構成されることを特徴とする請求項１に記載の携帯電話用のプロジェクト。
【考案の詳細な説明】
【技術分野】
【０００１】
本考案は映像出力装置分野に関し、特にプロジェクトに関する。
【背景技術】
【０００２】
携帯電話の普及は人々により多い楽しみをもたらし、現在の携帯電話は既に通話やメッセージの受送信の機能に限られるだけでなく、映画を鑑賞したり、音楽を聴いたり、ネットサーフィンをしたり、ビデオチャットをしたりして、様々な機能が次々と現れ、ユーザーに無限の便利を提供した。しかしながら、携帯電話を用いて上述した動作を行う場合、携帯電話自身のスクリーンの寸法が小さいため、多数の人がスクリーンを見る必要がある時、不便となり、また、ビデオの再生中に、携帯電話自身の消費電力が大きいため、一般に、携帯電話に配備した電池は長時間の鑑賞に満たすことができない。
【０００３】
現在、市販しているマイクロプロジェクトは、その体積が携帯電話に対して大きすぎ、且つ発熱量が大きく、正常に動作できるために、適当な放熱システムが必要となる。
【考案の概要】
【考案が解決しようとする課題】
【０００４】
本考案の目的は、携帯電話とプロジェクトとの接続、及び携帯電話のビデオ再生中に消費電力が大きく長時間の鑑賞に満たすことができない問題を解決するための携帯電話用のプロジェクトを提供することにある。
【課題を解決するための手段】
【０００５】
本考案は以下のように実現される。ケースと、回路装置と、電源と、投影部材とを備え、前記回路装置及び電源がケース内に設けられ、前記投影部材がケースの一方端に設けられる携帯電話用のプロジェクトにおいて、前記ケースに、携帯電話が置き込まれる囲い式の係合溝が設けられている携帯電話用のプロジェクトである。
【０００６】
更に、前記ケースの末端の係合溝内に、携帯電話の末端に接続されるコネクタが設けられている。
【０００７】
更に、前記投影部材がケースの先端の左側に設けられる。
【０００８】
更に、前記ケースの先端の右側に階段状の切欠きが設けられている。
【０００９】
更に、前記切欠きの階段面に通風孔が設けられている。
【００１０】
具体的には、前記ケースの末端に電源制御スイッチ及びデータインターフェースが設けられている。
【００１１】
具体的には、前記ケース内にスピーカーが更に設けられている。
【００１２】
具体的には、前記ケースに投影部材と組合わせる焦点距離調節歯車が設けられている。
【００１３】
具体的には、前記ケースに音量制御ボタンが更に設けられている。
【００１４】
具体的には、前記ケースは上ケースと底ケースから構成される。
【考案の効果】
【００１５】
上述した技術方案によれば、携帯電話が置き込まれる前記係合溝に、携帯電話とプロジェクトとの接続を実現し、その動作中に、プロジェクトによって携帯電話内のビデオ信号を便利に出力して投影し、ユーザーにより良い視覚効果を与え、多数の人の鑑賞に便利である。更に、前記係合溝内に設けられたコネクタが携帯電話の末端に接続された後、プロジェクト内に設けられた電源から携帯電話へ電力を供給でき、長時間の再生表示の需要を達成し、途中で電力中断して充電器を捜しなければならないことを避ける。更に、前記ケースの先端の右側に階段状の切欠きが設けられ、且つ前記切欠きの階段面に通風孔が設けられていることで、投影部材に対して１つの通風放熱部を追加し、投影部材の動作効率を大幅に向上させた。具体的には、前記ケースの末端に電源制御スイッチ及びデータインターフェースが設けられ、携帯電話が電力不足になった場合に携帯電話に充電するように便利に制御でき、データインターフェースはプロジェクトの電源電力の補充及びその他のデータの入力に便利であり、前記ケース内に設けられたスピーカーは携帯電話自身の音量不足の欠陥を補い、前記ケースに投影部材と組合わせる焦点距離調節歯車及び音量制御ボタンが設けられていることで、使用中の携帯電話用のプロジェクトの操作を容易にさせるようになる。
【図面の簡単な説明】
【００１６】
【図１】本考案の実施例による携帯電話用のプロジェクトの分解図である。
【図２】本考案の実施例による携帯電話用のプロジェクトの斜視図である。
【考案を実施するための形態】
【００１７】
以下、本考案の目的、技術方案及び利点が更に明らかになるために、図面及び実施例を参照して本考案を更に詳しく説明する。理解すべきことは、ここで記載した具体的な実施例がただ本考案を解釈するためのものであり、本考案を制限するためのものではない。
【００１８】
図１及び図２に示すように、本考案の実施例は携帯電話用のプロジェクトを提供し、それがケース１５と、回路装置９と、電源３と、投影部材２とを備え、前記回路装置９及び電源３がケース１５内に設けられ、前記投影部材２がケース１５の一方端に設けられ、前記ケース１５に携帯電話が置き込まれる囲い式の係合溝１１が設けられ、前記ケース１５の末端の係合溝１１内に携帯電話の末端に接続されるコネクタ８が設けられ、前記投影部材２がケース１５の先端の左側に設けられ、前記ケース１５の先端の右側に階段状の切欠き１２が設けられ、前記切欠き１２の階段面に通風孔１３が設けられ、具体的には、前記ケース１５の末端に電源制御スイッチ７及びデータインターフェース１４が設けられ、前記ケース１５内にスピーカー１０が更に設けられ、前記ケース１５に投影部材２と組合わせる焦点距離調節歯車４が設けられ、前記ケース１５に音量制御ボタン６が更に設けられ、前記ケース１５は上ケース１と底ケース５から構成される。
【００１９】
上述した技術方案によれば、携帯電話が置き込まれる前記係合溝１１に、携帯電話とプロジェクトとの接続を実現し、その動作中に、プロジェクトによって携帯電話内のビデオ信号を便利に出力して投影し、ユーザーにより良い視覚効果を与え、多数の人の鑑賞に便利である。更に、前記係合溝１１内に設けられたコネクタ８が携帯電話の末端に接続された後、プロジェクト内に設けられた電源３から携帯電話へ電力を供給でき、長時間の再生表示の需要を達成し、途中で電力中断して充電器を捜しなければならないことを避ける。更に、前記ケース１５の先端の右側に階段状切欠き１２が設けられ、且つ前記切欠き１２の階段面に通風孔１３が設けられていることで、投影部材２に対して１つの通風放熱部を追加し、投影部材２の動作効率を大幅に向上させた。具体的には、前記ケース１５の末端に電源制御スイッチ７及びデータインターフェース１４が設けられ、携帯電話が電力不足になった場合に携帯電話に充電するように便利に制御でき、データインターフェース１４はプロジェクトの電源電力の補充及びその他のデータの入力に便利であり、前記ケース１５内に設けられたスピーカー１０は携帯電話自身の音量不足の欠陥を補い、前記ケース１５に投影部材２と組合わせる焦点距離調節歯車４及び音量制御ボタン６が設けられていることで、使用中の携帯電話用のプロジェクトの操作を容易にさせるようになる。
【００２０】
上記はただ本考案の好適な実施例であり、本考案を制限するためのものではなく、本考案の精神や原則内でなされた修正、同等の置き換え及び改良等のいずれも本考案の保護範囲に含まれる。
【図１】
0003174075.tif 000003
【図２】
0003174075.tif 000004